(57)【要約】【課題】サービスを要求する移動端末装置がセルを超えて移動する場合であっても、時間的制約があるサービスを遅滞無く配信すること。【解決手段】位置検索部１２３において通過予定地点ｓが存在するセル１０３を検索し（ＳＴ１０２）、スケジュール部１２４によって、位置検索部１２３において検索されたセル１０３を管理する無線基地局１０５のサービススケジュール１２６の先頭に受信したサービスリクエストを登録する（ＳＴ１０６）。サービス提供部１２８は、先頭のサービスリクエストの受信時刻が、同じサービススケジュール１２６を次回処理する所定時間の開始前である間は（ＳＴ２０４；ＹＥＳ）、先頭のサービスリクエストの処理を実行してサービススケジュール１２６の先頭から処理したサービスリクエストを削除する処理、を繰り返し、ＭＢＭＳデータを送信する（ＳＴ２０５、ＳＴ２０６）。【選択図】図７
2007129669.tif 000002
【特許請求の範囲】
【請求項１】
入力されたサービスの種類、サービスの受信場所、及び受信時刻を指定してサービス要求を送信する移動端末装置と、前記移動端末装置及び前記受信場所が存在するセルを管理する複数の無線基地局と、前記複数の無線基地局と接続されたネットワーク制御装置とを備える移動通信システムであって、
前記ネットワーク制御装置は、
前記受信時刻が指定されたサービス要求と時間の指定がないサービス要求とを受信する受信手段と、
前記サービスの受信場所が存在するセルを検索する検索手段と、
前記受信時刻が指定されたサービス要求を時間の指定がないサービス要求と区別して登録する登録手段と、
前記登録手段によって登録された前記受信時刻の指定がないサービス要求を最初に処理する処理手段と、
前記検索手段に従って検索された前記セルを管理する無線基地局に前記処理手段によって処理されたデータを送信する送信手段と、
を具備することを特徴とする移動通信システム。
【請求項２】
前記処理手段は、初めに、前記受信時刻が指定されたサービス要求の中で指定された前記受信時刻が次にサービス要求を処理する時間になるまでの間にある前記サービス要求を処理し、処理時間が残っているとき、前記時間の指定がないサービス要求を処理することを特徴とする請求項１に記載の移動通信システム。
【請求項３】
前記登録手段は、前記検索手段に従って検索されたセルを管理する無線基地局に前記サービス要求を登録する基地局別登録手段を備え、前記処理手段は前記無線基地局毎に登録された前記サービス要求を前記無線基地局毎に処理することを特徴とする請求項１又は請求項２に記載の移動通信システム。
【請求項４】
前記移動端末装置は、前記受信場所と受信時刻から前記受信場所に至るまでの通過予定地点と通過予定時刻を求める経路検索手段と、前記通過予定地点を前記受信場所、前記通過予定時刻を前記受信時刻として前記通過予定地点の存在するセルを管理する無線基地局に前記通過予定時刻のサービス要求を送信する送信手段を備え、前記登録手段は、前記通過予定地点毎に前記通過予定時刻のサービス要求を登録することを特徴とする請求項１から請求項３のいずれかに記載の移動通信システム。
【請求項５】
サービスの種類、サービスの受信場所、及び受信時刻が指定されたサービス要求と時間の指定がないサービス要求とを受信する受信手段と、
前記サービスの受信場所が存在するセルを検索する検索手段と、
前記受信時刻が指定されたサービス要求を時間の指定がないサービス要求と区別して登録する登録手段と、
前記登録手段によって登録された前記受信時刻の指定がないサービス要求を最初に処理する処理手段と、
前記検索手段に従って検索された前記セルを管理する無線基地局に前記処理手段によって処理されたデータを送信する送信手段と、
を具備することを特徴とするネットワーク制御装置。
【請求項６】
前記処理手段は、初めに、前記受信時刻が指定されたサービス要求の中で指定された前記受信時刻が次にサービス要求を処理する時間になるまでの間にある前記サービス要求を処理し、処理時間が残っているとき、前記時間の指定がないサービス要求を処理することを特徴とする請求項５に記載のネットワーク制御装置。
【請求項７】
前記登録手段は、前記検索手段に従って検索されたセルを管理する無線基地局に前記サービス要求を登録する基地局別登録手段を備え、前記処理手段は前記無線基地局毎に登録された前記サービス要求を前記無線基地局毎に処理することを特徴とする請求項５又は請求項６に記載のネットワーク制御装置。
【請求項８】
前記受信場所と受信時刻から、前記受信場所に至るまでの通過予定地点と通過予定時刻を求める経路検索手段を備え、前記登録手段は、前記通過予定地点を前記受信場所、前記通過予定時刻を前記受信時刻として前記通過予定地の存在するセルを管理する無線基地局に前記通過予定時間のサービス要求を登録すること特徴とする請求項５から請求項７のいずれかに記載のネットワーク制御装置。
【請求項９】
前記無線基地局毎に利用できるサービスの種類を登録した許可手段を備え、前記登録手段は、前記サービス要求で指定された前記サービスの種類が前記無線基地局の許可手段に登録されない場合、前記サービス要求を登録しないことを特徴とする請求項６から請求項８のいずれかに記載のネットワーク制御装置。
【発明の詳細な説明】
【技術分野】
【０００１】
本発明は、移動通信システム、及びネットワーク制御装置に関し、特に、非同期方式の符号分割多重接続によってマルチメディア放送／マルチキャストサービス(Multimedia Broadcast/Multicast Service：ＭＢＭＳ)を提供する移動通信システム、及びネットワーク制御装置に関する。
【背景技術】
【０００２】
近年の符号分割多重接続(Code Division Multiple Access；ＣＤＭＡ)移動通信システムでは、マルチキャストマルチメディア通信によって大容量のデータを伝送する音声通信サービス、パケット通信サービス、サーキット通信サービス、動画像通信サービス、或いは、それらを組み合わせたマルチコールサービスなどが提供されている。
【０００３】
マルチキャストマルチメディア通信には、一つのデータソースで多数の移動端末装置に実時間画像、音声、停止画像、及び文字などのマルチメディアデータを提供するＭＢＭＳサービスがあり、ＭＢＭＳサービスにおいては、大量の音声データと画像データが放送チャンネルを通じて同時に提供される。
【０００４】
一方、非同期方式の移動通信システムでは、各無線基地局が備えるタイマの間の時間的同期がなく、各無線基地局の基準時間が相違するため、ネットワーク制御装置(Radio Network Controller；ＲＮＣ)から送信されたＭＢＭＳデータを複数の無線基地局を介して受信するとき、移動端末装置において同じＭＢＭＳデータが同じ時刻に受信されないことがあるので、移動端末装置が新たなセルに移るとき、従来のサービスをソフトハンドオーバによって持続することは難しくなるが、それを提供できる装置もある（特許文献１）。
【０００５】
特許文献１のソフトハンドオーバ決定装置では、移動端末装置が複数の基地局を介して同じＭＢＭＳデータを受信するとき同じＭＢＭＳデータを同じ時刻に受信できるようにＲＮＣから各基地局までの伝達遅延時間を測定して得られたＭＢＭＳタイムオフセットをＲＮＣから各基地局に送信し、ＲＮＣから予め各基地局にＭＢＭＳタイムオフセットに合わせてＭＢＭＳデータを伝送することで各基地局からＭＢＭＳデータを送信する時点を同期化させている。
【０００６】
加えて、移動端末装置において、現在受信している第１基地局の共通パイロットチャネル信号の強さと第１基地局に隣接する周辺基地局から受信する共通パイロットチャネル信号の強さとを比較して移動端末装置が第１基地局のセルから周辺基地局のセルに移動することが分かったとき、移動端末装置は第１基地局からソフトコンバインが要求される周辺基地局のＭＢＭＳサービス情報を収集して周辺基地局からＭＢＭＳデータを受信し、周辺基地局から受信したＭＢＭＳデータと第１基地局から受信したＭＢＭＳデータとのソフトコンバインを遂行して従来のＭＢＭＳサービスを持続させる。
【特許文献１】特開２００４−１６６２０９号公報（［００２３］、［００５１］〜［００５７］）
【発明の開示】
【発明が解決しようとする課題】
【０００７】
しかしながら、特許文献１においてソフトコンバインを遂行するためには、ＲＮＣから基地局に対してＭＢＭＳタイムオフセットに合わせて決められた伝送時刻にＭＢＭＳデータを送信しなければならないが、ＲＮＣが各セルに対して所定の時間内に提供できるサービス数には限界があるため、特定のセルに対して多くのサービス要求があると、伝送時刻にそのセルのＭＢＭＳデータが送信できなくなり、ソフトハンドオーバが実行されないという問題があった。
【０００８】
本発明は、かかる点に鑑みてなされたものであり、サービスを要求する移動端末装置がセルを超えて移動する場合であっても、時間的制約があるサービスを遅滞無く配信する移動通信システム、及びネットワーク制御装置を提供することを目的とする。
【課題を解決するための手段】
【０００９】
本発明の移動通信システムは、入力されたサービスの種類、サービスの受信場所、及び受信時刻を指定してサービス要求を送信する移動端末装置と、前記移動端末装置及び前記受信場所が存在するセルを管理する複数の無線基地局と、前記複数の無線基地局と接続されたネットワーク制御装置とを備える移動通信システムであって、前記ネットワーク制御装置は、前記受信時刻が指定されたサービス要求と時間の指定がないサービス要求とを受信する受信手段と、前記サービスの受信場所が存在するセルを検索する検索手段と、前記受信時刻が指定されたサービス要求を時間の指定がないサービス要求と区別して登録する登録手段と、前記登録手段によって登録された前記受信時刻の指定がないサービス要求を最初に処理する処理手段と、前記検索手段に従って検索された前記セルを管理する無線基地局に前記処理手段によって処理されたデータを送信する送信手段と、を具備することを特徴とする。
【発明の効果】
【００１０】
本発明によれば、サービスを要求する移動端末装置がセルを超えて移動する場合であっても、時間的制約があるサービスを遅滞無く配信することができるという効果がある。
【発明を実施するための最良の形態】
【００１１】
以下、本発明の移動通信システムによる実施の形態１及び実施の形態２について図面を参照して詳細に説明する。
【００１２】
（実施の形態１）
図１は、本発明の実施の形態１に係る移動通信システムの構成を示すブロック図である。図１において、本発明の移動通信システム１０１は、ＭＢＭＳサービスの加入者である移動端末装置１０２と、移動端末装置１０２が移動するとき通過を予定するセル１０３ａに対して通過予定時刻のＭＢＭＳサービスを登録することによってＭＢＭＳデータを含むデータを移動端末装置１０２に配信するネットワーク制御装置１０４と、ネットワーク制御装置１０４に接続されて管理するセル１０３ａ、１０３ｂ、１０３ｃ、…内の移動端末装置１０２にＭＢＭＳデータを含むサービスデータを送信する複数の無線基地局１０５ａ、１０５ｂ、１０５ｃ、…とを備える。
【００１３】
移動端末装置１０２は、ＭＢＭＳサービスの使用者としての登録が完了すると、サービス案内過程においてメニュー情報から特定のＭＢＭＳサービスを選択して受信時刻を指定する。移動通信システム１０１は、ＭＢＭＳサービスの受信時刻になると、サービス要請過程及びサービス通知過程などを実行してマルチキャスト／放送サービスセンター(Multicast/Broadcast- Service Center；ＭＢ―ＳＣ)１０６が提供する当該ＭＢＭＳデータをネットワーク制御装置１０４から移動端末装置１０２が存在するセル１０３ａを管理する無線基地局１０５ａに送信する。
【００１４】
現在、セル１０３ａに存在する移動端末装置１０２の所持者が、移動して例えばセル１０３ｂに入ったとき、移動端末装置１０２は、無線基地局１０５ａ、１０５ｂからの信号によってこれを検知し、移動端末装置１０２内の位置登録情報を更新すると共に、ネットワーク制御装置１０４に新しく位置登録されたセル１０３ｂを通知する。ネットワーク制御装置１０４は、移動端末装置１０２が存在する新しいセル１０３ｂを管理する無線基地局１０５ｂを介してＭＢＭＳデータを送信する。
【００１５】
無線基地局１０５ａ、１０５ｂ、１０５ｃ、…には、ネットワーク制御装置１０４から無線基地局１０５ａ、１０５ｂ、１０５ｃ、…毎のＭＢＭＳタイムオフセットに合わせてＭＢＭＳデータが送信されるため、移動端末装置１０２は、新しいセル１０３ｂ、１０３ｃに入るときも、ソフトハンドオーバによって途切れることなくＭＢＭＳサービスを受信することができる。
【００１６】
移動端末装置１０２の所持者が、例えば、電車１０７などで移動しながらＭＢＭＳサービスを受信したいとき、サービス案内過程においてＭＢＭＳサービスを選択して受信時刻を指定するときに、移動手段、目的地、及び到着予定時刻などを指定すると、駅などの通過予定地点ｓ１、ｓ２、ｓ３、…毎に通過予定時刻ｔ１、ｔ２、ｔ３、…を求め、ネットワーク制御装置１０４に対して通過予定時刻ｔ１、ｔ２、ｔ３、…を受信時刻として通過予定地点ｓ１、ｓ２、ｓ３、…におけるＭＢＭＳサービスリクエストを送信する。
【００１７】
ネットワーク制御装置１０４は、ＭＢＭＳサービスリクエストを受信し、通過予定地点ｓ１、ｓ２、ｓ３、…が存在するセル１０３ａ、１０３ｂ、１０３ｃ、…を管理する無線基地局１０５ａ、１０５ｂ、１０５ｃ、…から通過予定時刻ｔ１、ｔ２、ｔ３、…にＭＢＭＳデータが送信されるように、無線基地局１０５ａ、１０５ｂ、１０５ｃ、…毎に受信時刻が指定されたサービスを登録し、無線基地局１０５ａ、１０５ｂ、１０５ｃ、…毎のＭＢＭＳタイムオフセットに合わせてＭＢＭＳデータを送信する。
【００１８】
図２は、本発明の実施の形態１に係る移動端末装置の構成を示すブロック図である。移動端末装置１０２は、その時点で存在するセル１０３ａを管理する無線基地局１０５ａとアンテナ１１１を介して通信を行う無線通信部１１２と、キー入力を行う入力部１１３と、移動するとき又はそれが予定されているとき通過予定地点ｓ１、ｓ２、ｓ３、…と通過予定時刻ｔ１、ｔ２、ｔ３、…を検索する経路検索部１１４と、通過予定時刻ｔ１、ｔ２、ｔ３、…を受信時刻とする通過予定地点ｓ１、ｓ２、ｓ３、…におけるＭＢＭＳサービスリクエストを生成するサービス要求部１１５と、メニュー情報及びＭＢＭＳサービスによって提供される映像を表示する表示部１１６と、ＭＢＭＳサービスによって提供される音声を出力するスピーカ１１７と、を制御部１１８に接続して備える。
【００１９】
経路検索部１１４は、入力部１１３によってＭＢＭＳデータが選択され、移動手段、目的地、及び到着予定時刻などが入力されると、セル１０３の広さに相当する５ｋｍから１０ｋｍ程度の間隔で通過予定地点ｓ１、ｓ２、ｓ３、…と通過予定時刻ｔ１、ｔ２、ｔ３、…を検索する。
【００２０】
具体的には、移動手段を電車１０７とする場合は電車乗り換え案内プログラムなどを用いて、目的駅、到着予定時刻、及び列車種別などを入力し、通過駅毎に通過予定時時刻を求める。自動車など電車以外の場合は、カーナビゲーションプログラムなどを用いて、目的地、走行ルート、走行速度などを入力し、主要交差点毎に通過予定時刻を求める。
【００２１】
サービス要求部１１５は、経路検索部１１４の検索結果に従って、無線通信部１１２から通過予定時刻ｔ１、ｔ２、ｔ３、…を受信時刻として通過予定地点ｓ１、ｓ２、ｓ３、…におけるＭＢＭＳサービスリクエストを作成して無線通信部１１２を介して送信する。
【００２２】
図３は、本発明の実施の形態１に係るネットワーク制御装置の構成を示すブロック図である。図３に示すように、ネットワーク制御装置１０４は、ＭＢ―ＳＣ１０６に接続されたＳＣ通信部１２１と、複数の無線基地局１０５ａ、１０５ｂ、１０５ｃ、…に接続された基地局通信部１２２と、ＭＢＭＳサービスリクエストを含むサービスリクエストを受信して位置検索部１２３、及びスケジュール部１２４によってサービススケジュールを作成するサービス登録部１２５と、サービススケジュール１２６を記憶する記憶部１２７と、サービススケジュール１２６を実行するサービス提供部１２８と、システムタイマ１２９と、利用できるサービスの種類を予め登録した利用種類登録部１３０と、を制御部１３１に接続して備える。
【００２３】
ＳＣ通信部１２１は、ネットワーク制御装置１０４が制御するセル１０３ａ、１０３ｂ、１０３ｃ、…にＭＢＭＳサービスリクエストを要求する移動端末装置１０２存在してそれが許可されれば、ＭＢ−ＳＣ１０６からＭＢＭＳストリームを受信し、ＭＢＭＳサービスリクエストを送信した移動端末装置１０２及び通過予定地点ｓ１、ｓ２、ｓ３、…が存在するセル１０３ａ、１０３ｂ、１０３ｃ、…を管理する無線基地局１０５ａ、１０５ｂ、１０５ｃ、…に対して基地局通信部１２２を介してＭＢＭＳデータを送信する。
【００２４】
位置検索部１２３は、移動端末装置１０２が送信する通過予定地点ｓ１、ｓ２、ｓ３、…におけるＭＢＭＳサービスリクエストを受信したとき、通過予定地点ｓ１、ｓ２、ｓ３、…の存在するセル１０３ａ、１０３ｂ、１０３ｃ、…を検索する。
【００２５】
スケジュール部１２４は、位置検索部１２３において検索されたセル１０３ａ、１０３ｂ、１０３ｃ、…を管理する無線基地局１０５ａ、１０５ｂ、１０５ｃ、…毎にＭＢＭＳサービスリクエストを含む移動端末装置１０２から受信したサービスリクエストを登録する。無線基地局１０５ａ、１０５ｂ、１０５ｃ、…のサービススケジュール１２６の先頭には、受信時刻が指定されたサービスリクエストを受信時刻順に登録し、その後に時間の指定がないサービスリクエストを受け付け順に登録する。
【００２６】
記憶部１２７には、無線基地局１０５ａ、１０５ｂ、１０５ｃ、…毎のサービススケジュール１２６が記憶される。図４は、本発明の実施の形態１に係るサービススケジュールについて説明する図である。図４に示すように、無線基地局１０５ａ、１０５ｂ、１０５ｃ、…のサービススケジュール１２６の先頭には、ＭＢＭＳサービスリクエストなどの受信時刻が指定されたサービスリクエストが受信時刻順に登録され、その後に時間の指定がないサービスリクエストが登録される。
【００２７】
サービス提供部１２８は、記憶部１２７に登録された無線基地局１０５ａ、１０５ｂ、１０５ｃ、…の順番に、無線基地局１０５ａ、１０５ｂ、１０５ｃ、…のサービススケジュール１２６毎に登録されたサービスリクエストを所定時間実行する処理を繰り返して行う。
【００２８】
無線基地局１０５ａ、１０５ｂ、１０５ｃ、…のサービススケジュール１２６の先頭から順に次の処理時間が来る前に受信時刻が指定されたサービスリクエストの処理を実行し、残りの処理時間で時間の指定がないサービスリクエストの処理を実行する。
【００２９】
利用種類登録部１３０は、無線基地局１０５ａ、１０５ｂ、１０５ｃ、…毎に例えばＭＢＭＳサービスといった利用できるサービスの種類を予め登録している。
【００３０】
図５は、本発明の実施の形態１に係るサービス登録部の動作を説明するフロー図である。図５において、ＭＢＭＳサービスリクエストを含むサービスリクエストを受信すると（ＳＴ１０１；ＹＥＳ）、位置検索部１２３において通過予定地点ｓ１、ｓ２、ｓ３、…が存在するセル１０３ａ、１０３ｂ、１０３ｃ、…を検索する（ＳＴ１０２）。
【００３１】
スケジュール部１２４は、受信したサービスリクエストのサービスがＳＴ１０２で検索したセル１０３ａ、１０３ｂ、１０３ｃ、…を管理する無線基地局１０５ａ、１０５ｂ、１０５ｃ、…の利用種類登録部１３０において利用が許可されたサービスであって、無線基地局１０５ａ、１０５ｂ、１０５ｃ、…のサービススケジュール１２６に同じサービスリクエストが既に登録されていなければ（ＳＴ１０３；ＮＯ）、受信したサービスリクエストに受信時刻が指定されているかをチェックする。
【００３２】
受信したサービスリクエストに受信時刻が指定されていて（ＳＴ１０４；ＹＥＳ）、ＳＴ１０３で検索したセル１０３ａ、１０３ｂ、１０３ｃ、…を管理する無線基地局１０５ａ、１０５ｂ、１０５ｃ、…のサービススケジュール１２６の先頭に受信時刻が指定されたサービスリクエストが登録されていれば（ＳＴ１０５;ＹＥＳ）、既に登録されているサービスリクエストの受信時刻と比較して受信時刻順に受信したサービスリクエストを登録し（ＳＴ１０６）、受信した全てのサービスリクエストの登録処理が終了していなければ（ＳＴ１０７；ＮＯ）、ＳＴ１０３に戻る。
【００３３】
ＳＴ１０５において、サービススケジュール１２６の先頭に受信時刻が指定されたサービスリクエストが登録されていなければ（ＳＴ１０５;ＮＯ）、サービススケジュール１２６の先頭に受信したサービスリクエストを登録し（ＳＴ１０８）、受信した全てのサービスリクエストの登録処理が終了していなければ（ＳＴ１０７；ＮＯ）、ＳＴ１０３に戻る。
【００３４】
ＳＴ１０４において、時間の指定がないサービスリクエストを登録する場合（ＳＴ１０４；ＮＯ）、サービススケジュール１２６の最後に受信したサービスリクエストを登録し（ＳＴ１０９）、受信した全てのサービスリクエストの登録処理が終了していなければ（ＳＴ１０７；ＮＯ）、ＳＴ１０３に戻る。
【００３５】
ＳＴ１０３において、受信したサービスリクエストのサービスがＳＴ１０３で検索したセル１０３ａ、１０３ｂ、１０３ｃ、…を管理する無線基地局１０５ａ、１０５ｂ、１０５ｃ、…の利用種類登録部１３０に登録されていない場合、又は、無線基地局１０５ａ、１０５ｂ、１０５ｃ、…のサービススケジュール１２６に同じサービスリクエストが既に登録されている場合は（ＳＴ１０３；ＹＥＳ）、このサービスリクエストを廃棄し、次のサービスリクエストがあれば（ＳＴ１０７；ＮＯ）、ＳＴ１０３に戻る。
【００３６】
ＳＴ１０７において、受信した全てのサービスリクエストを登録する処理が終了すれば（ＳＴ１０７；ＹＥＳ）、ＳＴ１０１に戻り、他のサービスリクエストの受信を待つ（ＳＴ１０１；ＮＯ）。
【００３７】
図６は、本発明の実施の形態１に係るサービス提供部の動作を説明するフロー図である。図６において、ｉ＝１、ｊ＝１として（ＳＴ２０１）、記憶部１２７のｉ＝１、即ち先頭に記憶された無線基地局１０５のサービススケジュール１２６のｊ＝１、即ち先頭にサービスリクエストが登録されていて（ＳＴ２０２；ＹＥＳ）、ｉ番目の無線基地局１０５のサービススケジュール１２６を処理する所定時間が経過していなければ（ＳＴ２０３；ＮＯ）、ｉ番目に記憶された無線基地局１０５のサービススケジュール１２６の処理を行う。
【００３８】
始めに、ｉ番目に記憶された無線基地局１０５のサービススケジュール１２６の処理について説明する。
【００３９】
ｉ番目に記憶された無線基地局１０５のサービススケジュール１２６のｊ＝１、即ち先頭に登録されたサービスリクエストに受信時刻が指定されていて、先頭のサービスリクエストで指定された受信時刻が同じサービススケジュール１２６を次回処理する所定時間の開始前にあるかをチェックして、先頭のサービスリクエストが今回の処理時間中に処理しなければならないサービスリクエストであるかを判断する。
【００４０】
先頭のサービスリクエストに受信時刻が指定されていて、先頭のサービスリクエストで指定された受信時刻が、同じサービススケジュール１２６を次回処理する所定時間の開始前であれば（ＳＴ２０４；ＹＥＳ）、今回の処理時間中に処理しなければならないので、先頭のサービスリクエストの処理を実行して（ＳＴ２０５）、サービススケジュール１２６の先頭から処理したサービスリクエストを削除する（ＳＴ２０６）。
【００４１】
先頭のサービスリクエストを削除してもなおサービススケジュール１２６の先頭にサービスリクエストが登録されていていれば（ＳＴ２０７；ＹＥＳ）、ＳＴ２０４に戻ってＳＴ２０４からＳＴ２０７の処理を繰り返す。
【００４２】
ＳＴ２０４からＳＴ２０７の処理が繰り返されて、今回の処理時間中に処理しなければならないサービスリクエストが全て処理されてサービススケジュール１２６から削除されても（ＳＴ２０５、ＳＴ２０６）、無線基地局１０５のサービススケジュール１２６の先頭に次回以降に処理するサービスリクエスト、又は時間が指定されないサービスリクエストが登録されていれば（ＳＴ２０７；ＹＥＳ、ＳＴ２０４；ＮＯ）、次回以降に処理するサービスリクエストの数をカウントして、時間が指定されないサービスリクエストの処理を実行するため、ＳＴ２０８の処理を行う。
【００４３】
ＳＴ２０８において、ｊ＝１、即ち先頭のサービスリクエストに受信時刻が指定されていて、先頭のサービスリクエストの受信時刻が同じサービススケジュール１２６を次回処理する所定時間の開始後になると（ＳＴ２０４；ＮＯ、ＳＴ２０８；ＹＥＳ）、このサービスリクエストは次回以降に処理すればよいので、ｊ＝ｊ＋１として次回以降に処理するサービスリクエストの数をカウントし（ＳＴ２０９）、ＳＴ２０２に戻ってＳＴ２０２からＳＴ２０９の処理を繰り返す。
【００４４】
ＳＴ２０２からＳＴ２０９の処理が繰り返されるとき、ｉ番目の無線基地局１０５のサービススケジュール１２６に登録されたサービスリクエストのｊ番目に次回の処理開始時刻以降の受信時刻が指定されたサービスリクエストが登録されている間は（ＳＴ２０２；ＹＥＳ）、ｉ番目の無線基地局１０５の処理を実行するための所定時間が経過するまでは（ＳＴ２０３；ＮＯ）、ｊ＝ｊ＋１として次回以降に処理するサービスリクエストの数をカウントし（ＳＴ２０９）、ＳＴ２０２に戻ってＳＴ２０２からＳＴ２０９の処理を繰り返す。
【００４５】
ＳＴ２０２からＳＴ２０９の処理が繰り返されると、ｊは時間が指定されないサービスリクエストの位置までカウントされる。ｉ番目の無線基地局１０５のサービススケジュール１２６に登録されたｊ番目のサービスリクエストが時間の指定がないサービスリクエストになれば（ＳＴ２０４；ＮＯ、ＳＴ２０８；ＮＯ）、ｊ番目の時間の指定がないサービスリクエストの処理を実行して（ＳＴ２１０）、サービススケジュール１２６からｊ番目のサービスリクエストを削除して（ＳＴ２１１）、ＳＴ２０２に戻ってＳＴ２０２からＳＴ２１１の処理を繰り返す。
【００４６】
次に、ｉ番目に記憶された無線基地局１０５のサービススケジュール１２６の処理が終了する場合について説明する。
【００４７】
サービス提供部１２８は、ｉ番目に記憶された無線基地局１０５のサービススケジュール１２６に今回の処理時間中に処理しなければならないサービスリクエストが登録されて入る限り、それらの処理が全て終了するまでは、ｉ番目に記憶された無線基地局１０５のサービススケジュール１２６の処理を終了しない（ＳＴ２０４；ＹＥＳ，ＳＴ２０５，ＳＹ２０６、ＳＴ２０７；ＹＥＳ）。
【００４８】
ＳＴ２０４からＳＴ２０７の処理が繰り返されて、今回の処理時間中に処理しなければならないサービスリクエストが全て処理されてサービススケジュール１２６から削除され（ＳＴ２０５，ＳＴ２０６）、サービススケジュール１２６に登録されるサービスリクエストがなくなれば（ＳＴ２０７；ＮＯ、ＳＴ２０２；ＮＯ）、次の無線基地局１０５に登録されたサービススケジュール１２６の処理を行うため、ＳＴ２１２の処理を行う。
【００４９】
ＳＴ２０２からＳＴ２０９の処理が繰り返されるとき、ｉ番目の無線基地局１０５のサービススケジュール１２６を処理する所定時間が経過する前に（ＳＴ２０３；ＮＯ）、ｊがサービススケジュール１２６に登録された最後のサービスリクエストの次までカウントされれば、ｉ番目の無線基地局１０５のサービススケジュール１２６には次回以降に処理するサービスリクエストだけが登録されていて、時間の指定がないサービスリクエストが登録されていないので（ＳＴ２０２；ＮＯ）、次の無線基地局１０５に登録されたサービススケジュール１２６の処理を行うため、ＳＴ２１２の処理を行う。
【００５０】
ＳＴ２０２からＳＴ２０９の処理が繰り返されるとき、ｉ番目の無線基地局１０５のサービススケジュール１２６を処理する所定時間が経過すると（ＳＴ２０３；ＹＥＳ）、ｊのカウントを中止し、次の無線基地局１０５に登録されたサービススケジュール１２６の処理を行うため、ＳＴ２１２の処理を行う。
【００５１】
ＳＴ２０２からＳＴ２１１の処理が繰り返されると、サービススケジュール１２６のｊ番目に登録された時間の指定がないサービスリクエストが登録順に処理されて削除され（ＳＴ２１０、ＳＴ２１１）、時間の指定がないサービスリクエストを全て処理したため、ｊ番目に登録されたサービスリクエストがなくなれば（ＳＴ２０２；ＮＯ）、次の無線基地局１０５に登録されたサービススケジュール１２６の処理を行うため、ＳＴ２１２の処理を行う。
【００５２】
ＳＴ２０２からＳＴ２１１の処理が繰り返されるとき、ｉ番目の無線基地局１０５のサービススケジュール１２６を処理する所定時間が経過すると（ＳＴ２０３；ＹＥＳ）、時間の指定がないサービスリクエストの処理を中止し、次の無線基地局１０５に登録されたサービススケジュール１２６の処理を行うため、ＳＴ２１２の処理を行う。
【００５３】
ＳＴ２１２において、ｉ番目が記憶部１２７に記憶された最後の無線基地局１０５でない場合（ＳＴ２１２;ＮＯ）にはｊ＝ｊ＋１（ＳＴ２１３）、ｉ＝１（ＳＴ２１４）としてＳＴ２０２に戻り、ｉ番目が記憶部１２７に記憶された最後の無線基地局１０５の場合（ＳＴ２１２;ＹＥＳ）にはｊ＝１（ＳＴ２１５）、ｉ＝１（ＳＴ２１４）としてＳＴ２０２に戻り、記憶部１２７の先頭に記憶された無線基地局１０５のサービススケジュール１２６の処理を実行する。
【００５４】
以上のように構成された移動通信システム１０１の動作について説明する。図７は、本発明の実施の形態１に係る移動通信システムの動作を示すシーケンス図である。図７に示すように、移動端末装置１０２の所持者が、メニュー情報によってＭＢＭＳサービスを選択し、移動手段、目的地、及び到着予定時刻などを入力すると（ＳＴ３０１）、経路検索部１１４によって目的地までの通過予定地点ｓ１、ｓ２、ｓ３、…と通過予定時刻ｔ１、ｔ２、ｔ３、…を検索し、サービス要求部１１５で通過予定時刻ｔ１、ｔ２、ｔ３、…を受信時刻として通過予定地点ｓ１、ｓ２、ｓ３、…におけるＭＢＭＳサービスリクエストを作成して（ＳＴ３０２）、無線通信部１１２を介して送信する（ＳＴ３０３）。
【００５５】
移動端末装置１０２が存在するセル１０３ａを管理する無線基地局１０５ａは、ＭＢＭＳサービスリクエストを受信し、受信したＭＢＭＳサービスリクエストをネットワーク制御装置１０４に送信する。
【００５６】
ネットワーク制御装置１０４は、ＭＢＭＳサービスリクエストを受信すると（ＳＴ１０１）、位置検索部１２３において通過予定地点ｓ１、ｓ２、ｓ３、…が存在するセル１０３ａ、１０３ｂ、１０３ｃ、…を検索し（ＳＴ１０２）、スケジュール部１２４によって、位置検索部１２３において検索されたセル１０３ａ、１０３ｂ、１０３ｃ、…を管理する無線基地局１０５ａ、１０５ｂ、１０５ｃ、…のサービススケジュール１２６の先頭に受信時刻順に受信したサービスリクエストを登録する（ＳＴ１０６）。
【００５７】
サービス提供部１２８は、ｊ＝１、即ち先頭のサービスリクエストの受信時刻が同じサービススケジュール１２６を次回処理する所定時間の開始前である間は（ＳＴ２０４；ＹＥＳ）、先頭のサービスリクエストの処理を実行してサービススケジュール１２６の先頭から処理したサービスリクエストを削除する処理、を繰り返し、ＭＢＭＳデータを送信する（ＳＴ２０５、ＳＴ２０６）。
【００５８】
ＳＴ２０４において、ｊ番目のサービスリクエストに時間の指定がなければ、ｉ番目の無線基地局１０５の処理を実行するための所定時間が終了するまで、ｊ番目の時間の指定がないサービスリクエストの処理を実行してｊ番目のサービスリクエストをサービススケジュール１２６から削除する処理を行い、データ送信する（ＳＴ２０９、ＳＴ２１０）。
【００５９】
通過予定地点ｓ１、ｓ２、ｓ３、…が存在するセル１０３ａ、１０３ｂ、１０３ｃ、…を管理する無線基地局１０５ａ、１０５ｂ、１０５ｃ、…は、通過予定時刻ｔ１、ｔ２、ｔ３、…にネットワーク制御装置１０４からＭＢＭＳデータを受信し、受信したＭＢＭＳデータを送信する。
【００６０】
移動端末装置１０２は、移動して通過予定時刻ｔ１、ｔ２、ｔ３、…に通過予定地点ｓ１、ｓ２、ｓ３、…が存在するセル１０３ａ、１０３ｂ、１０３ｃ、…に入ったとき、ＭＢＭＳデータを受信して（ＳＴ３０４）、ＭＢＭＳサービスが提供する映像を表示部１１６に表示し、音声をスピーカ１１７から出力する（ＳＴ３０５）。
【００６１】
以上、詳細に説明したように、実施の形態１によれば、ネットワーク制御装置１０４に、移動端末装置１０２の通過予定地点ｓ１、ｓ２、ｓ３、…が存在するセル１０３ａ、１０３ｂ、１０３ｃ、…を管理する無線基地局１０５ａ、１０５ｂ、１０５ｃ、…のサービススケジュール１２６の先頭に通過予定時刻ｔ１、ｔ２、ｔ３、…を受信時刻としてサービスリクエストを登録するスケジュール部１２４と、サービススケジュール１２６の先頭のサービスリクエストの処理を始めに実行して、無線基地局１０５ａ、１０５ｂ、１０５ｃ、…にＭＢＭＳデータを送信するサービス提供部１２８とを設けたので、ＭＢＭＳサービスを要求する移動端末装置１０２がセル１０３ａ、１０３ｂ、１０３ｃ、…を超えて移動する場合であっても、ＭＢＭＳデータを遅滞無く配信することができた。
【００６２】
実施の形態１によれば、スケジュール部１２４によって無線基地局１０５ａ、１０５ｂ、１０５ｃ、…のサービススケジュール１２６の先頭に通過予定時刻ｔ１、ｔ２、ｔ３、…を受信時刻としてサービスリクエストを登録し、サービス提供部１２８が、サービススケジュール１２６の先頭に登録されたサービスリクエストの中で今回のサービススケジュール１２６の処理時間に処理しなければならないサービスリクエストの処理を全て終了するまでは、今回のサービススケジュール１２６の処理を終了しないので、１つの無線基地局に処理が集中しても、ＭＢＭＳデータを遅滞無く配信することができる。
【００６３】
実施の形態１によれば、スケジュール部１２４によって無線基地局１０５ａ、１０５ｂ、１０５ｃ、…のサービススケジュール１２６の先頭に通過予定時刻ｔ１、ｔ２、ｔ３、…を受信時刻として受信時刻順にサービスリクエストを登録し、サービス提供部１２８が、サービススケジュール１２６の先頭に登録されたサービスリクエストを順に処理して今回のサービススケジュール１２６の処理時間に処理しなければならないサービスリクエストの処理を全て終了するまでは、今回のサービススケジュール１２６の処理を終了しないので、１つの無線基地局に処理が集中しても、ＭＢＭＳデータを遅滞無く配信することができる。
【００６４】
実施の形態１によれば、スケジュール部１２４によって無線基地局１０５ａ、１０５ｂ、１０５ｃ、…のサービススケジュール１２６の先頭に通過予定時刻ｔ１、ｔ２、ｔ３、…を受信時刻としてサービスリクエストを登録し、サービススケジュール１２６の最後に、時間の指定がないサービスリクエストを登録し、サービス提供部１２８が、サービススケジュール１２６の先頭に登録されたサービスリクエストの中で今回のサービススケジュール１２６の処理時間に処理しなければならないサービスリクエストの処理を全て終了すれば、時間の指定がないサービスリクエストの処理を実行するので、ＭＢＭＳデータを遅滞無く配信しながら、時間の指定がないデータを配信することができる。
【００６５】
実施の形態１によれば、移動端末装置１０２の経路検索部１１４によって目的地にいたる複数の通過予定地点ｓ１、ｓ２、ｓ３、…とその通過予定時刻ｔ１、ｔ２、ｔ３、…を求め、サービス要求部１１５によって通過予定時刻ｔ１、ｔ２、ｔ３、…を受信時刻とする通過予定地点ｓ１、ｓ２、ｓ３、…における複数のＭＢＭＳサービスリクエストを送信するので、移動先のセル１０３ａ、１０３ｂ、１０３ｃ、…においても遅滞なくＭＢＭＳサービスを受信することができる。
【００６６】
実施の形態１によれば、ＭＢＭＳサービスが事前に通過予定地点ｓ１、ｓ２、ｓ３、…の存在するセル１０３ａ、１０３ｂ、１０３ｃ、…を管理する無線基地局１０５ａ、１０５ｂ、１０５ｃ、…のサービススケジュール１２６に登録されるので、アナウンスなどでセル１０３ａ、１０３ｂ、１０３ｃ、…にＭＢＭＳサービスが提供されることをセル１０３ａ、１０３ｂ、１０３ｃ、…にいる他の移動端末装置に通知すれば、ＭＢＭＳサービスに加入している他の移動端末装置もＭＢＭＳサービスを受けることができる。
【００６７】
実施の形態１によれば、ネットワーク制御装置１０４に無線基地局１０５ａ、１０５ｂ、１０５ｃ、…毎に利用できるサービスの種類を予め登録した利用種類登録部１３０を設けたので、無線基地局１０５が多く配置された地域などにおいて、特定のサービスが利用できる無線基地局１０５と、そうでない無線基地局１０５とを選択し、効率よくサービスを提供することができる。
【００６８】
尚、通過予定地点ｓ１、ｓ２、ｓ３、…の間がセル１０３をまたいで離れてしまっている場合、通過予定地点ｓ１、ｓ２、ｓ３、…の間に通過すると推定される地点を地図に従って補い、計算によってその通過予定時刻を求めて通過予定地点に加える機能を経路検索部１１４に持たせてもよい。
【００６９】
尚、実施の形態１では、移動端末装置１０２のサービス要求部１１５によって通過予定時刻ｔ１、ｔ２、ｔ３、…を受信時刻として通過予定地点ｓ１、ｓ２、ｓ３、…におけるＭＢＭＳサービスリクエストを送信したが、移動端末装置１０２の所持者がサービス要求部１１５の代わりに入力部１１３から経路探索部１１４の検索結果に従って通過予定地点ｓ１、ｓ２、ｓ３、…における通過予定時刻ｔ１、ｔ２、ｔ３、…のＭＢＭＳサービスを入力するようにしてもよい。
【００７０】
尚、実施の形態１では、経路探索部１１４を移動端末装置１０２に設けたが、他の手段で経路検索を行いその結果を入力部１１３から入力するようにしてもよい。
【００７１】
（実施の形態２）
実施の形態１に係る移動通信システム１は、移動端末装置１０２の通過予定地点と通過予定時刻を移動端末装置１０２において検索してネットワーク制御装置１０４に通知するものであったが、実施の形態２では、移動端末装置２０２の通過予定地点と通過予定時刻をネットワーク制御装置２０４で検索するものである。
【００７２】
図８は、本発明の実施の形態２に係る移動端末装置の構成を示すブロック図である。図８において、図２に示す本発明の実施の形態１に係る移動端末装置の構成を示すブロック図と同じ構成に同一の符号を付して説明を省略する。図８に示すように、実施の形態２の移動端末装置２０２は、経路検索部１１４及びサービス要求部１１５を備えない。
【００７３】
図９は、本発明の実施の形態２に係るネットワーク制御装置の構成を示すブロック図である。図９において、図３に示す本発明の実施の形態１に係るネットワーク制御装置の構成を示すブロック図と同じ構成に同一の符号を付して説明を省略する。図９に示すように、実施の形態２のネットワーク制御装置２０４は、経路検索部２１４とサービス要求部２１５とを備え、ネットワーク制御装置２０４で通過予定地点ｓ１、ｓ２、ｓ３、…と通過予定時刻ｔ１、ｔ２、ｔ３、…を検索して、通過予定時刻ｔ１、ｔ２、ｔ３、…を受信時刻とする通過予定地点ｓ１、ｓ２、ｓ３、…におけるＭＢＭＳサービスリクエストを作成する。
【００７４】
図１０は、本発明の実施の形態２に係る移動通信システムの動作を示すシーケンス図である。図１０において、図７に示す本発明の実施の形態１に係る移動通信システムの動作を示すシーケンス図と同じ部分に同一の符号を付して説明を省略する。図１０に示すように、実施の形態２のネットワーク通信システム２０１では、移動端末装置２０２において経路検索を行わない。
【００７５】
移動端末装置２０２から移動手段、目的地、及び到着予定時刻などが指定されたＭＢＭＳサービスリクエストが送信され（ＳＴ３０３）、ネットワーク制御装置２０４に設けた経路検索部２１４において通過予定地点ｓ１、ｓ２、ｓ３、…と通過予定時刻ｔ１、ｔ２、ｔ３、…を検索し、サービス要求部２１５において通過予定時刻ｔ１、ｔ２、ｔ３、…を受信時刻とする通過予定地点ｓ１、ｓ２、ｓ３、…におけるＭＢＭＳサービスリクエストを作成する（ＳＴ１１１）。
【００７６】
以上、詳細に説明したように、実施の形態２によれば、移動端末装２０２から移動手段、目的地、及び到着予定時刻などが指定されたＭＢＭＳサービスリクエストを送信し、ネットワーク制御装置２０４に通過予定地点ｓ１、ｓ２、ｓ３、…と通過予定時刻ｔ１、ｔ２、ｔ３、…の検索を行う経路検索部２１４を設けたので、移動端末装置２０２からネットワーク制御装置２０４に送信するデータ量を少なくすることができる。
【産業上の利用可能性】
【００７７】
本発明に係る移動通信システム、及びネットワーク制御装置は、セルを越えて広範囲に移動することが予定される移動端末装置に対して特定のサービスを安定して提供する移動通信システム、及びネットワーク制御装置に有効である。
【図面の簡単な説明】
【００７８】
【図１】本発明の実施の形態１に係る移動通信システムの構成を示すブロック図
【図２】本発明の実施の形態１に係る移動端末装置の構成を示すブロック図
【図３】本発明の実施の形態１に係るネットワーク制御装置の構成を示すブロック図
【図４】本発明の実施の形態１に係るサービススケジュールについて説明する図
【図５】本発明の実施の形態１に係るサービス登録部の動作を説明するフロー図
【図６】本発明の実施の形態１に係るサービス提供部の動作を説明するフロー図
【図７】本発明の実施の形態１に係る移動通信システムの動作を示すシーケンス図
【図８】本発明の実施の形態２に係る移動端末装置の構成を示すブロック図
【図９】本発明の実施の形態２に係るネットワーク制御装置の構成を示すブロック図
【図１０】本発明の実施の形態２に係る移動通信システムの動作を示すシーケンス図
【符号の説明】
【００７９】
１０１、２０１  移動通信システム
１０２、２０２  移動端末装置
１０３  セル
１０４、２０４  ネットワーク制御装置
１０５  無線基地局
１０６  ＭＢ―ＳＣ
１０７  電車
１１１  アンテナ
１１２  無線通信部
１１３  入力部
１１４、２１４  経路検索部
１１５、２１５  サービス要求部
１１６  表示部
１１７  スピーカ
１１８、１３１  制御部
１２１  ＳＣ通信部
１２２  基地局通信部
１２３  位置検索部
１２４  スケジュール部
１２５  サービス登録部
１２６  サービススケジュール
１２７  記憶部
１２８  サービス提供部
１２９  システムタイマ
１３０  利用種類登録部
ｓ１、ｓ２、ｓ３、…  通過予定地点
ｔ１、ｔ２、ｔ３、…  通過予定時刻
【図１】
2007129669.tif 000003
【図２】
2007129669.tif 000004
【図３】
2007129669.tif 000005
【図４】
2007129669.tif 000006
【図５】
2007129669.tif 000007
【図６】
2007129669.tif 000008
【図７】
2007129669.tif 000009
【図８】
2007129669.tif 000010
【図９】
2007129669.tif 000011
【図１０】
2007129669.tif 000012